(57)【要約】【課題】レンズマウント部材と後カバー部材との間の防水と、レンズ側マウントとカメラ側マウントとの間の防水とを同時に実現可能な防水手段を備えた交換レンズ鏡筒を提供。【解決手段】本交換レンズ鏡筒における防水リング３２０は、後カバー部材２６０の内周部位とレンズマウント部材２７０の外周部位とで囲まれた環状空洞領域の内部に収容固定される固定環状部３２１と、この固定環状部３２１に連なり上記レンズマウント部材２７０の外表面周辺部を覆う被覆環状部３２２と、この被覆環状部３２２に連なり交換レンズ鏡筒本体の光軸ＯＡ方向に沿って延び、カメラボディにおけるボディマウント部材のマウント面に所定圧力で当接可能な当接環状部３２３と、からなることを主たる特徴としている。【選択図】    図５
2005017393.tif 000002
【特許請求の範囲】
【請求項１】
防水機能を有するレンズ鏡筒本体と、このレンズ鏡筒本体の後端部に装着される後カバー部材と、この後カバー部材の外側中央部位に位置する如く前記本体に固定されるレンズマウント部材と、このレンズマウント部材と前記後カバー部材との間に介在する環状の防水リングとを備え、
前記防水リングは、
前記後カバー部材の内周部位と前記レンズマウント部材の外周部位とで囲まれた環状空洞領域の内部に収容固定される固定環状部と、
この固定環状部に連なり上記レンズマウント部材の外表面周辺部を覆う被覆環状部と、
この被覆環状部に連なり前記交換レンズ鏡筒本体の光軸方向に沿って延び、カメラボディにおけるボディマウント部材のマウント面に所定圧力で当接可能な当接環状部と、
を有することを特徴とする交換レンズ鏡筒。
【請求項２】
前記当接環状部は、当接端に近づくにつれ環状部の外径が小径となるように、当該環状部の外周面端縁部にテーパー面が形成されていることを特徴とする請求項１に記載の交換レンズ鏡筒。
【請求項３】
前記環状空洞領域は、前記後カバー部材の内周部位と、前記レンズマウント部材の外周部位と、更に前記レンズマウント部材の光軸方向の位置調整用スペーサと、で囲まれた領域であることを特徴とする請求項１又は２に記載の交換レンズ鏡筒。
【発明の詳細な説明】
【０００１】
【発明の属する技術分野】
本発明は、カメラにマウントされる交換レンズ鏡筒に関し、とくにレンズ側マウントとカメラ側マウントとの間の防水手段を備えた交換レンズ鏡筒に関する。
【０００２】
【従来の技術】
一般に、交換レンズ鏡筒を備えたカメラにおいては、レンズ側マウントとカメラ側マウントとの間に何らかの防水手段が講じられている。上記防水手段として、カメラ側マウントに円環状弾性部材を取付け、その一部をレンズ側に突出させその突出部分でレンズ側マウントとカメラ側マウントとの間を液密にシールする構造の防水手段が知られている（特許文献１参照）。
【０００３】
【特許文献１】
特開平０７−１２８７１８号公報（段落［００３１］、図２）
【０００４】
【発明が解決しようとする課題】
特許文献１に示されている防水手段によれば、レンズ側マウントとカメラ側マウントとの間を液密にシールすることが出来る。しかるに特許文献１に示されている防水手段では、レンズ側マウントを構成するレンズマウント部材と後カバー部材との間の防水手段を別途講じる必要がある。
【０００５】
本発明は、このような事情に基づいてなされたものであり、その目的は、レンズマウント部材と後カバー部材との間の防水と、レンズ側マウントとカメラ側マウントとの間の防水とを同時に実現可能な防水手段を備えた交換レンズ鏡筒を提供することにある。
【０００６】
【課題を解決するための手段】
前記課題を解決し目的を達成するために、本発明の交換レンズ鏡筒は下記のような特徴ある構成を有している。なお下記以外の特徴ある構成については実施形態の中で明らかにする。
【０００７】
本発明の交換レンズ鏡筒は、防水機能を有するレンズ鏡筒本体と、このレンズ鏡筒本体の後端部に装着される後カバー部材と、この後カバー部材の外側中央部位に位置する如く前記本体に固定されるレンズマウント部材と、このレンズマウント部材と前記後カバー部材との間に介在する環状の防水リングとを備え、
前記防水リングは、前記後カバー部材の内周部位と前記レンズマウント部材の外周部位とで囲まれた環状空洞領域の内部に収容固定される固定環状部と、この固定環状部に連なり上記レンズマウント部材の外表面周辺部を覆う被覆環状部と、この被覆環状部に連なり前記交換レンズ鏡筒本体の光軸方向に沿って延び、カメラボディにおけるボディマウント部材のマウント面に所定圧力で当接可能な当接環状部と、を有することを特徴とする。
【０００８】
【発明の実施の形態】
（第一実施形態）
図１は本発明の第一実施形態に係る交換レンズ鏡筒の概略的構成を示す図で、光軸を境として上半部分を切断して示す断面図である。図２は同実施形態に係る交換レンズ鏡筒の一部の構成を示す分解斜視図、図３は同実施形態に係る交換レンズ鏡筒の他の一部の構成を示す分解斜視図である。なお図２のＭは図３のＮにつながる。
【０００９】
図１〜図３において、符号１００は軸心部に光軸ＯＡを有する略円筒状の第一の枠部材である。この第一の枠部材１００の中空部内には、１群レンズ１１０、２群レンズ１２０、３群レンズ１３０、４群レンズ１４０が収容されている。１群レンズ１１０は、カム環１５０の回転により移動し、位置制御がなされる。また２群レンズ１２０、３群レンズ１３０、４群レンズ１４０は、カム環１５０の回転により、第一ガイドロッド１６１、第二ガイドロッド１６２（不図示）に沿って移動し、相対的な位置制御がなされる。
【００１０】
なお符号１７０はフィルタ環、１７１は１群レンズ枠、１７２は２群レンズ枠、１７３は３群レンズ枠、１７４は４群レンズ枠を示している。また符号１８０は絞り羽根、１８１は絞り駆動枠、１８２は絞り移動枠を示している。
【００１１】
図１〜図３において、符号２００は前記第一の枠部材１００の外周に嵌め込まれた第二の枠部材（固定枠）である。第一の枠部材１００と第二の枠部材２００とは、光軸方向に相対的に移動可能となっている。第一の枠部材１００は、第二の枠部材２００に装着されているズーム環２５０の回転により、光軸方向に移動して所謂ズーミング動作が行なわれる。第一の枠部材１００の外周面と第二の枠部材２００の内周面との間には、例えばゴム製の環状をなす防水部材３１０が介在している。
【００１２】
第二の枠部材２００の前端部（図１において左端部）には、前カバー部材２１０が装着されている。第二の枠部材２００の外周面上には、図１において右方向から距離環２２０、距離表示環２３０、ズーム台環２４０、ズーム環２５０、後カバー部材２６０等が順次嵌め込まれている。上記後カバー部材２６０には、防水機能付き通気手段（２６１，２６２，２６３）が備えられている。第二の枠部材２００の後端部には、上記後カバー部材２６０の外側中央部位に位置する如く、レンズマウント部材２７０がビス止めされている。
【００１３】
第二の枠部材２００の前端部と前カバー部材２１０と距離環２２０との三者接合部位には、Ｏリングからなる第一のシール部材３０１が介在している。距離環２２０と距離表示環２３０との間にはＯリングからなる第二のシール部材３０２が介在している。距離表示環２３０とズーム台環２４０のリング部２４１との間にはＯリングからなる第三のシール部材３０３が介在している。ズーム台環２４０のリング部２４１とズーム環２５０との間にはＯリングからなる第四のシール部材３０４が介在している。ズーム環２５０と後カバー部材２６０との間にはＯリングからなる第五のシール部材３０５が介在している。また後カバー部材２６０とレンズマウント部材２７０との間には、例えばゴム製の環状をなす防水リング３２０が介在している。
【００１４】
なお符号２２１は距離パルス発生用リングである。また符号２３１は距離接片、２３２は目盛り環、２３３は透明部材からなる距離表示窓である。また符号２５１はズーム接片、２５２は接片蓋、２５３はズームゴムリングである。更に符号２６１は通気用の開口部、２６２は撥水シート、２６３は保護カバーであり、これらは前記防水機能付き通気手段を構成している。符号２８０は一般にカンザと呼ばれる光軸方向の位置調整用スペーサである。符号２９０はカバー後枠、２９１は防塵部材である。
【００１５】
次に、後カバー部材２６０とレンズマウント部材２７０との間に介在している防水リング３２０について詳しく説明する。図４の（ａ）（ｂ）は防水リング３２０の構成を示す図で、（ａ）は正面図、（ｂ）は（ａ）の４ｂ−４ｂ線矢視断面図である。図５は要部の構成を拡大して示す断面図である。
【００１６】
図４の（ａ）（ｂ）及び図５に示すように、前記防水リング３２０は、固定環状部３２１と、この固定環状部３２１に連なる被覆環状部３２２と、この被覆環状部３２２に連なる当接環状部３２３とからなる。
【００１７】
固定環状部３２１は、前記後カバー部材２６０の内周部位と、前記レンズマウント部材２７０の外周部位と、更にレンズマウント部材２７０の光軸方向の位置調整用スペーサ２８０とで囲まれた環状空洞領域の内部に収容固定される部分である。換言すれば固定環状部３２１は、その外周面Ｘと、内周面Ｙと、底面Ｚとの三方を、後カバー部材２６０の内周部位と、レンズマウント部材２７０の外周部位と、位置調整用スペーサ２８０の一側面とでそれぞれ囲まれ固定化される。
【００１８】
被覆環状部３２２は、上記レンズマウント部材２７０の外表面周辺部を外周部から包み込むような形で覆う部分である。
【００１９】
当接環状部３２３は、前記交換レンズ鏡筒本体の光軸ＯＡ方向（図５中左右方向）に沿って延び、カメラボディにおけるボディマウント部材のマウント面に所定圧力で当接可能な部分である。この当接環状部３２３は、当接端に近づくにつれ環状部の外径がｄ１からｄ２へと漸次小径となっている。換言すれば、当接環状部３２３の外周面端縁部には、大きな面取りを施したようなテーパー面Ｔが形成されている。
【００２０】
かくして防水リング３２０の固定環状部３２１及び被覆環状部３２２により、後カバー部材２６０とレンズマウント部材２７０との間が液密にシールされる。しかも防水リング３２０の当接環状部３２３によって、カメラボディにおけるボディマウント部材との間の防水シールも同時に行なうことが可能となる。このとき、防水リング３２０の外周面端縁部には、テーパー面Ｔによる空きスペースが形成されているため、当接環状部３２３がボディマウント部材のマウント面で圧縮され、図５の破線３２３′で示すように変形して半径方向へ膨出したとしても、その変形膨出部分が径大方向へ大きくはみ出す虞がない。このため外観不良を招かずに済む。
【００２１】
（実施形態における特徴点）
［１］実施形態に示された交換レンズ鏡筒は、
防水機能を有するレンズ鏡筒本体（第一の枠部材１００、第二の枠部材２００を含む）と、このレンズ鏡筒本体の後端部に装着される後カバー部材２６０と、この後カバー部材２６０の外側中央部位に位置する如く前記本体に固定されるレンズマウント部材２７０と、このレンズマウント部材２７０と前記後カバー部材２６０との間に介在する環状の防水リング３２０とを備え、
前記防水リング３２０は、
前記後カバー部材２６０の内周部位と前記レンズマウント部材２７０の外周部位とで囲まれた環状空洞領域の内部に収容固定される固定環状部３２１と、
この固定環状部３２１に連なり上記レンズマウント部材２７０の外表面周辺部を覆う被覆環状部３２２と、
この被覆環状部３２２に連なり前記交換レンズ鏡筒本体の光軸ＯＡ方向に沿って延び、カメラボディにおけるボディマウント部材のマウント面に所定圧力で当接可能な当接環状部３２３と、
を有することを特徴とする。
【００２２】
上記交換レンズ鏡筒においては、防水リング３２０の固定環状部３２１及び被覆環状部３２２によって、後カバー部材２６０とレンズマウント部材２７０との間が液密にシールされる上、防水リング３２０の当接環状部３２３によって、カメラボディにおけるボディマウント部材との間の防水シールも同時に行なうことが可能となる。
【００２３】
［２］実施形態に示された交換レンズ鏡筒は、前記［１］に記載の交換レンズ鏡筒であって、
前記当接環状部３２３は、当接端に近づくにつれ環状部の外径が（ｄ１からｄ２へ）小径となるように、当該環状部３２３の外周面端縁部にテーパー面Ｔが形成されていることを特徴とする。
【００２４】
上記交換レンズ鏡筒においては、当接環状部３２３がボディマウント部材のマウント面に当接して圧縮されたとき、その変形膨出部分が、外周面端縁部に形成されたテーパー面Ｔによる空きスペース内に吸収される。このため上記変形膨出した部分が径大方向へ大きくはみだす虞れがなく、外観不良を招かずに済む。
【００２５】
［３］実施形態に示された交換レンズ鏡筒は、前記［１］又は［２］に記載の交換レンズ鏡筒であって、
前記環状空洞領域は、前記後カバー部材２６０の内周部位と、前記レンズマウント部材２７０の外周部位と、更に前記レンズマウント部材２７０の光軸方向の位置調整用スペーサ２８０と、で囲まれた領域であることを特徴とする。
【００２６】
【発明の効果】
本発明においては、後カバー部材の内周部位とレンズマウント部材の外周部位とで囲まれた環状空洞領域の内部に収容固定される固定環状部と、この固定環状部に連なりレンズマウント部材の外表面周辺部を覆う被覆環状部と、この被覆環状部に連なり前記交換レンズ鏡筒本体の光軸方向に沿って延び、カメラボディにおけるボディマウント部材のマウント面に所定圧力で当接可能な当接環状部と、を有する防水リングを備えている。従って、本発明によれば、レンズマウント部材と後カバー部材との間の防水と、レンズ側マウントとカメラ側マウントとの間の防水とを同時に実現可能な防水手段を備えた交換レンズ鏡筒を提供できる。
【図面の簡単な説明】
【図１】本発明の第一実施形態に係る交換レンズ鏡筒の概略的な構成を示す斜視図。
【図２】本発明の第一実施形態に係る交換レンズ鏡筒の一部の構成を示す分解斜視図。
【図３】本発明の第一実施形態に係る交換レンズ鏡筒の他の一部の構成を示す分解斜視図。
【図４】本発明の第一実施形態に係る交換レンズ鏡筒における環状の防水リングの構成を示す図で、（ａ）は正面図、（ｂ）は（ａ）の４ｂ−４ｂ線矢視断面図。
【図５】本発明の第一実施形態に係る防水リングの要部の構成を拡大して示す断面図。
【符号の説明】
ＯＡ  光軸
１００  第一の枠部材
１１０〜１４０  １群レンズ〜４群レンズ
２００  第二の枠部材
２１０  前カバー部材
２２０  距離環
２３０  距離表示環
２４０  ズーム台環
２５０  ズーム環
２６０  後カバー部材
２７０  レンズマウント部材
２８０  厚み寸法調整用のスペーサ（カンザ）
２９０  カバー後枠
３０１〜３０５  第一〜第五のシール部材
３１０  防水部材
３２０  防水リング
【図１】
2005017393.tif 000003
【図２】
2005017393.tif 000004
【図３】
2005017393.tif 000005
【図４】
2005017393.tif 000006
【図５】
2005017393.tif 000007